(57)【要約】  従来のミキサおよびキャリアソースといった発振回路を用いる必要のないＯＯＫ型の信号を生成するための方法および装置が開示される。本方法は、不安定な動作領域と安定した動作領域とを交替にするステップを包含する転移特性を有する回路を利用する。不安定な動作領域および安定した動作領域は、それぞれ非発振出力および発振出力を生成する。回路は、デジタルデータに基づいた安定動作または不安定動作に回路を駆動させ得る動作点を有することによってさらに特徴付けられる。結果として生じる出力信号は、送信に適したＯＯＫ型信号である。
2005512443.tif 000002
【特許請求の範囲】
【請求項１】
デジタル信号を送信することに適した送信信号を発生させる方法であって、
該データ信号を受信するステップと、
該デジタル信号に基づいて、制御信号により非線形信号発生回路を制御するステップであって、該非線形信号発生回路は、該制御信号が第１の信号振幅にある場合に発振信号成分を生成し、該制御信号が第２の信号振幅にある場合に、非発振信号成分を生成し、該送信信号は、該発振および非発振信号成分の１つ以上を含む、ステップと
を包含する、方法。
【請求項２】
前記非線形信号発生回路は、不安定動作領域に隣接する安定動作領域を含む伝達関数を有し、前記制御信号は、該非線形回路を制御して、安定動作領域または不安定動作領域において該制御信号の振幅に依存して動作し、前記発振信号成分は、該非線形回路が不安定領域で動作しているときに生成され、前記非発振信号成分は、非線形回路が安定動作領域で動作しているときに生成される、請求項１に記載の方法。
【請求項３】
前記制御信号は、前記デジタル信号に基づくパルスコード変調信号である、請求項１に記載の方法。
【請求項４】
前記パルスコード変調信号は、パルスポジション変調信号である、請求項３に記載の方法。
【請求項５】
前記パルスコード変調信号は、パルス振幅変調信号である、請求項３に記載の方法。
【請求項６】
前記パルスコード変調信号は、パルスポジション幅信号である、請求項３に記載の方法。
【請求項７】
デジタル信号を送信することに適した送信信号を発生される方法であって、
該データ信号を受信するステップと、
該データ信号に基づいて、パルスコード変調信号を生成するステップと、
該パルスコード変調信号を信号発生回路に印加して、送信可能信号を生成するステップと
を包含し、
該信号発生回路は、安定動作領域部分によって両側が制限される不安定動作領域部分を有する伝達関数によって特徴づけられ、
該信号発生回路は、動作点を有し、該動作点は、該伝達関数のある位置に位置し、該位置は、該パルスコード変調信号に依存し、該信号発生回路は、該動作点が該不安定領域に位置付けられるときに発振信号を生成し、該信号発生回路は、該動作点が該安定動作領域の１つに位置付けられるときに非発振信号を生成し、
該動作点は、該パルスコード変調信号が第１の振幅にある場合に該不安定動作領域に位置付けられ、それにより、該送信可能信号の発振信号成分を生成し、
該動作点は、該パルスコード変調信号が第２の振幅にある場合に該安定動作領域の１つに位置付けられ、それにより、該送信可能信号の非発振信号成分を生成する、方法。
【請求項８】
前記送信可能に信号を送信するステップをさらに包含する、請求項７に記載の方法。
【請求項９】
前記パルスコード変調信号は、パルスポジション変調信号である、請求項７に記載の方法。
【請求項１０】
前記パルスコード変調信号は、パルス振幅変調信号である、請求項７に記載の方法。
【請求項１１】
前記パルスコード変調信号は、パルスポジション幅信号である、請求項７に記載の方法。
【請求項１２】
デジタルデータストリームを送信する方法であって、
第１の信号振幅を有する信号部分と第２の信号振幅を有する信号部分とを含むデータ信号として、該デジタルデータストリームを受信するステップと、
該デジタルデータ信号を信号発生回路に印加して、送信信号を生成するステップと、
該送信信号を送信するステップと
を包含し、
該信号発生回路は、安定動作領域部分によって両側が制限される不安定動作領域部分を有する伝達関数によって特徴づけられ、
該信号発生回路は、動作点を有し、該動作点は、該伝達関数のある位置に位置し、該位置は、該デジタル信号に基づいて決定され、該信号発生回路は、該動作点が該不安定領域に位置付けられるときに発振信号を生成し、該信号発生回路は、該動作点が該安定動作領域の１つに位置付けられるときに非発振信号を生成し、
該動作点は、該デジタル信号が第１の信号振幅にある場合に該不安定動作領域に位置付けられ、それにより、該送信可能信号の発振信号成分を生成し、
該動作点は、該デジタル信号が第２の信号振幅にある場合に該安定動作領域の１つに位置付けられ、それにより、該送信信号の非発振信号成分を生成する、方法。
【請求項１３】
無線周波数識別デバイス（ＲＦＩＤ）で利用される請求項１２に記載の方法であって、該方法は、
第１のＲＦＩＤで該呼びかけ信号を受信するステップと、
該送信された呼びかけ信号からＤＣ電力を生成するステップであって、該ＤＣ電力は、コントローラに印加され、該コントローラは、該デジタルデータストリームを発生させ、該送信信号は、第１の周波数である、ステップと
を包含する、方法。
【請求項１４】
無線周波数識別デバイス（ＲＦＩＤ）で利用される請求項１３に記載の方法であって、該方法は、
第２のＲＦＩＤで該呼びかけ信号を受信するステップと、
該送信された呼びかけ信号からＤＣ電力を生成するステップであって、該ＤＣ電力は、コントローラに印加され、該コントローラは、該デジタルデータストリームを発生させ、該送信信号は、第２の周波数である、ステップと
を包含する、方法。
【請求項１５】
デジタル情報を送信する送信デバイスであって、
デジタルデータストリームを受信する入力を有し、該デジタルデータストリームを表すパルスコード変調信号を発生させるように動作可能なパルスコード変調器と、
該パルスコード変調信号を受信するために接続された信号発生回路であって、該信号発生回路は、該パルスコード変調信号に応答して送信信号を発生させるように動作可能であり、該信号発生回路は、該パルスコード変調信号が第１の信号振幅にある場合に発振信号を生成し、該パルスコード変調信号が第２の信号振幅にある場合に非発振信号を生成する、信号発生回路と
を備える、送信デバイス。
【請求項１６】
前記パルスコード変調信号は、パルスポジション変調信号である、請求項１５に記載の送信デバイス。
【請求項１７】
前記パルスコード変調信号は、パルス振幅変調信号である、請求項１５に記載の送信デバイス。
【請求項１８】
前記パルスコード変調信号は、パルス幅変調信号である、請求項１５に記載の送信デバイス。
【請求項１９】
デジタルデータを送信する送信デバイスであって、
デジタルデータ信号を受信する入力を有する信号発生回路であって、該デジタルデータ信号は、第１の信号振幅の信号部分と第２の信号振幅の信号部分と含み、該信号発生回路は、発振信号部分およびステッド状態信号部分を有する送信信号を生成する、信号発生回路と、
該送信信号を受信するために接続され、送信された信号として該送信信号を放射するように構成されるアンテナコンポーネントと
を備え、
該信号発生回路は、安定動作領域部分によって両側が制限される不安定動作領域部分を有する伝達関数によって特徴づけられ、
該信号発生回路は、該デジタルデータ信号が該第１の信号振幅にある場合に発振信号を生成し、該信号発生回路は、該デジタルデータ信号が該第２の信号振幅にある場合に非発振信号を生成する、方法。
【請求項２０】
前記信号発生回路は、前記デジタルデータ信号を受信するために接続される第１の端子および第２の端子を有するトンネルダイオードと、該第２の端子とグランド電位接続との間の直列接続を有する誘導性素子とを備える、請求項１９に記載のデバイス。
【請求項２１】
前記信号発生回路は、前記デジタルデータ信号を受信するために接続される第１の端子および第２の端子を有するトンネルダイオードと、該第２の端子とグランド電位接続との間の直列接続を有する誘導性素子と、該第２の端子と該グランド電位接続との間に接続される容量性素子とを備える、請求項１９に記載のデバイス。
【請求項２２】
無線周波数識別デバイス（ＲＦＩＤ）に用いられる、請求項１９に記載のデバイスであって、
呼びかけ信号を受信する入力を有し、ＤＣレベル出力を有するレクテナ（ｒｅｃｔｅｎｎａ）モジュールと、
該ＤＣレベルによって電力供給されるように接続されるコントローラモジュールと
をさらに備え、
前記コントローラモジュールは、前記デジタルデータストリームを出力する出力を有する、デバイス。
【請求項２３】
デジタルデータ送信デバイスであって、
デジタルデータストリームを受信し、該デジタルデータストリームを表すデジタル信号を生成する手段と、
該デジタル信号に応答して、送信信号を生成する回路手段であって、該送信信号は、該デジタル信号が第１の信号振幅である場合に発振信号を生成し、該デジタル信号が第２の信号振幅である場合に非発振信号を生成する、回路手段と
を備え、
該回路手段は、安定動作領域および不安定動作領域を交互に有することによって特徴付けられる伝達関数を有し、発振信号は、該回路手段が不安定動作領域で動作しているときに生成され、非発振信号は、該回路手段が安定動作領域で動作しているときに生成され、
該回路手段は、該デジタルデータ信号が該第１の信号振幅である場合に安定領域で動作し、
該回路手段は、該デジタルデータ信号が該第２の信号振幅である場合に不安定領域で動作する、送信デバイス。
【請求項２４】
前記受信する手段は、前記回路手段に該デジタルデータストリームを直接接続する接続を含む、請求項２３に記載のデバイス。
【請求項２５】
前記受信する手段は、前記デジタル信号としてパルスエンコード信号を生成する手段を含む、請求項２３に記載のデバイス。
【請求項２６】
前記パルスエンコード信号は、パルスポジション変調信号である、請求項２３に記載のデバイス。
【請求項２７】
前記パルスエンコード信号は、パルス振幅変調信号である、請求項２３に記載のデバイス。
【請求項２８】
前記パルスエンコード信号は、パルス幅変調信号である、請求項２３に記載のデバイス。
【発明の詳細な説明】
【技術分野】
【０００１】
（関連出願の相互参照）
本出願は、「ＭＥＴＨＯＤ  ＡＮＤ  ＡＰＰＡＲＡＴＵＳ  ＴＯ  ＧＥＮＥＲＡＴＥ  ＡＭＰＬＩＴＵＤＥ  ＳＨＩＦＴ  ＫＥＹＩＮＧ  ＳＩＧＮＡＬ」と称され、２００１年１２月１３日に出願された米国仮特許出願第６０／３４０，１３０号の優先権を主張する。
【０００２】
この出願は、同一人に譲渡された米国特許第６，２５９，３９０号に関連する。さらに、この出願は、「Ｍｅｔｈｏｄ  ａｎｄ  Ａｐｐａｒａｔｕｓ  ｔｏ  Ｒｅｃｏｖｅｒ  Ｄａｔａ  ｆｒｏｍ  Ｐｕｌｓｅｓ」と称され、２００１年３月１３日に出願された米国特許出願第０９／８０５，８５４号に関連する。同出願は、全目的のために参照として援用される。
【０００３】
（連邦政府資金による研究または開発の下になされた発明の権利に対するステートメント）
適用せず
（コンピュータディスクにより添付して提出された「配列表」、表、またはコンピュータプログラムリストの参照）
適用せず
【背景技術】
【０００４】
本発明は、概して、信号変調に関し、より詳細には、オン−オフキーイング変調技術を用いた信号の発生に関する。
【０００５】
通信システムにおいて、アナログまたはデジタル情報は、物理チャネルを介して送信される前に、キャリア信号に変調され得る。ＯＯＫ（オン−オフキーイング）は、デジタル通信システムで用いられる一般的な変調方法である。これは、理想的な変調方法であるとは一般的に認められていないが、実施するために非常に簡単な方法であり、従って、適切な状況において応用例を有する。
【０００６】
図９は、ＯＯＫ変調信号を生成する従来の技術を示す。ミキサ９０６（典型的には、非線形３ポートデバイス）がＯＯＫ変調器として用いられる。ミキサは、３つのポート９０１、９０２および９０３を含む。データ信号９０５は、入力ポート９０１に提供される。キャリア信号は、発振器９０４によって発生し、ミキサの入力ポート９０２に提供される。その結果生じたＯＯＫ変調信号は、出力ポート９０３で生成される。
【０００７】
現在の技術の状態は、ＯＯＫ変調器９０６のコストパフォーマンスを改善することである。例えば、米国特許第６，０８７，９０４号は、チップ上で実施され得るＯＯＫ変調器を開示している。ミキサで通常必要とされるトランスフォーマは取り外され、従って、デバイスコストを減少させる。さらなる改善されたＯＯＫ変調器は、米国特許第６，２９２，０６７号に開示される。この特許において、ＯＯＫ変調器は、さらに実施コストを減少する正電圧源を必要とするのみである。しかし、ＯＯＫ変調波形を生成する方法は、基本的に同じである。ＯＯＫ変調器をさらに安く、かつ小さくすることは、大きく進歩しているが、従来の方法は、常に、電力消費サブシステム（例えば、ＯＯＫ変調器にキャリアを提供する発振器９０４）を必要とする。さらに、発振素子は、トランシーバの干渉源であり得る。なぜなら、発振素子が生成する電力は、比較的高いからである。例えば、トランシーバでは、アップコンバートデータ信号に対して送信器において用いられた発振器によって生成されたキャリア信号は、かなり弱い受信信号と干渉し得ることもあり、受信器の感度を減少する。
【０００８】
ＯＯＫ変調による通信システムを改善する余地は残されている。
【０００９】
（発明の簡単な要旨）
本発明の実施形態によるデジタルデータの送信は、デジタルデータストリームに基づく入力信号を、入力信号に基づいて発振信号および非発振信号を生成するように構成された非線形回路に適用することを含む。非線形回路は、入力信号が第１の信号振幅にあるときに発振信号を発生し、入力信号が第２の信号振幅にあるときに非発振信号を発生する。その結果に生じた発振信号および非発振信号は、送信に適している。
【００１０】
本発明の１つの実施形態では、入力信号は、デジタルデータストリーム自体である。本発明の別の実施形態では、入力信号は、デジタルデータストリームを示すパルスコード変調信号である。
【００１１】
（図面の簡単な説明）
本発明の教示は、添付の図面と共に以下の詳細な説明を考慮することによって容易に理解され得る。
【発明を実施するための最良の形態】
【００１２】
図１は、本発明によるＯＯＫ変調器１０２を示す一般的な図である。デジタルデータは、変調器にフィードして、デジタルデータを示すＯＯＫ状の信号を生成する。変調器の出力は、送信に適した変調信号であり、図示した実施形態では、送信信号自体の役目を果たす。
【００１３】
図２は、本発明を図示した実施形態によるＯＯＫ変調器１０２を含む回路２０１のハイレベル機能図である。この実施形態は、Ｎ型Ｉ−Ｖ伝達特性を有する回路素子２０１を示す。データ信号２０６は、回路の入力ポート２０４に提供され得る。インデューサ２０２は、回路の出力２０５に接続される。
【００１４】
簡単に説明すると、回路２０１は、データ信号２０６を示す変調信号を生成する。この信号は、出力ポート２０５から得られ得る。必要なら、キャパシタ（図示せず）がインデューサ２０２を介して接続されて、変調信号のシャープエッジまたは他の高周波数コンポーネントを取り除き得る。同様に、フィルタ（図示せず）がポート２０５に接続されて、発生した波形の高周波数成分を取り除く。このデータ信号２０６は、データ信号の振幅にエンコードされた２つの情報領域２０６ａ、２０６ｂを含む。
【００１５】
図４は、回路２０１の実施の例を示す。この特定の例では、トンネルダイオード４０１（例えば、部品番号がＭＰ１６０５）は、回路素子２０１の役目を果たす。インデューサ４０２の値は、約１０μＨである。上記したように、キャパシタ４０３は、インデューサ４０２を介して加えられて、発生した波形を滑らかにし得る。この例のキャパシタ値は、約１０ｐＦである。データ信号２０６は、データ入力ポート４０４に適用される。送信に適した変調信号のＯＯＫタイプは、信号出力ポート４０５からタップされ得る。
【００１６】
図３は、図４で実施された回路２０１の伝達関数３０１Ｉ＝Ψ（Ｖ）を示す。本発明の目的上、回路の「伝達関数」（特性）が回路の任意の２つの状態変数間の関係に関する。電子回路は、通常、電流および電圧の２つの状態変数に関する、それらのＩ−Ｖ曲線によって特徴付けられる。このような曲線は、ある１つの状態変数（電圧）が変化するにつれて、他の状態変数（例えば、電流）がいかに変化するかを示す。図３に示されるように、図４の回路の伝達関数は、本明細書中では「不安定」領域と呼ばれる領域３０７内の部分を含む。この不安定領域は、領域３０６と３０８と（これらの各々は、本明細書中では「安定」領域と呼ばれる）によって両側を挟まれている。
【００１７】
図４の回路は、伝達関数３０１のある位置である関連の「動作点」３０３を有する。回路の出力４０５の性質は、その動作点の位置に依存する。この動作点が領域３０７にある伝達関数の一部に沿って配置される場合、回路の出力は、発振挙動を示す。領域３０７が不安定領域と呼ばれるのはこのためである。動作点が領域３０６と３０８とのいずれか内にある伝達関数の一部に沿って配置される場合、回路の出力は、一般的な時間変動を示すが、そうではない場合、非発振挙動を示す。このため、領域３０６および３０８は、安定動作領域と呼ばれる。
【００１８】
回路の動作点３０３は、回路の入力４０４に供給される信号の関数である。さらに、図３は、このような制御信号３０５を示し、第１の領域３０５ａおよび第２の領域３０５ｂを有する。伝達関数３０１に対する制御信号３０５のＶｓの振幅の関係を示すように、ライン３０２が引かれる。ライン３０２の交点および伝達関数３０１は、回路２０１の動作点３０３をセットする。従って、制御信号の振幅が振幅３０５ａと３０５ｂとの間を変化するように、図４の回路の動作点が、回路出力４０５の挙動の対応する変化と共に、その安定した動作領域と不安定な動作領域との間を移動することが、図示され得る。この回路および他の回路のさらなる議論が、米国特許第６，２５９，３９０号において提供される。
【００１９】
従って、制御信号３０５がデータ信号２０６に置き換えられる場合、回路２０１の動作点３０３は、第１の情報領域２０６ａと第２の情報領域２０６ｂの振幅に従って変化する。故に、回路が、安定した領域と不安定な領域とに駆動され、データ信号２０６に従って非発振信号および発振信号を生成するときに、ＯＯＫ型の変調された信号が生成され得る。データ信号のパルスデューティサイクルが５０％である場合、回路の出力はＯＯＫ信号になる。
【００２０】
図５は、入力データ信号５００ａの信号トレースおよび出力ＯＯＫ変調された信号５００ｂである。入力信号は、情報領域５０２（例えば、バイナリ０）および情報領域５０３（例えば、バイナリ１）を含む。情報領域５０２は、安定領域（図３の３０６または３０８）において回路４０１の動作点を認識する（ｐｌａｃｅ）が、情報領域５０３は、不安定領域３０７において回路４０１の動作点を認識する。動作点が安定領域にあるとき、沈黙周期５０４が、出力５００ｂにおいて観測される。動作点が不安定領域にあるとき、発振５０５が出力において観測される。キャパシタ４０３がない場合、発振周期は、インダクタ４０２の値によって最初に決定される。しかし、キャパシタ４０３がある場合、発振周波数は、式ｆＯＳＣ＝（２π）−１（ＬＣ）−１／２によって関連付けられる。ＬおよびＣは、それぞれ、インダクタ４０２およびキャパシタ４０３の値に対応する。従って、発振周波数は、送信される信号としての使用に適するように必要に応じ調整され得る。
【００２１】
図６は、本発明の変調技術に従って適応された超広帯域送信器システムの高レベルのブロック図である。デジタルソース６０６は、送信されるべきデジタル情報を構成するシリアルデジタルデータストリーム６０１を提供する。デジタルデータは、パルス符号変調器６０６ａによってエンコードされる。例えば、パルス符号変調器は、パルス位置変調（ＰＰＭ）技術を用い得る。別のパルスコーディング技術は、パルス振幅変調（ＰＡＭ）である。用いられ得る、さらに別の一般に利用されるパルス符号変調技術はパルス幅変調（ＰＷＭ）である。さらに、パルス符号化変調器６０６ａは、例えば、直接シーケンススペクトル拡散（ＤＳＳＳ）といった拡散スペクトル能力を有し得る。
【００２２】
システム６００は、本発明の多様な実施形態に従ってＯＯＫ変調器６０２を含む。パルス符号化変調器６０６ａのパルスエンコードされた出力６０３は、ＯＯＫ変調器６０２に配信される。一般に、パルスエンコードされた出力６０３は、第１および第２の情報領域を含む。ＯＯＫ変調器６０２は、パルスエンコードされた信号の受信に応じてＯＯＫ型の信号６０５を生成する。パルスエンコードされた信号は、パルスエンコードされた出力の第１および第２の情報領域に対応する部分を有する。故に、ＯＯＫ型の信号は、従来の、かつ、公知の送信技術を利用して、アンテナ６０４を経てエアーチャネルに送信され得る。上述より評価され得るように、ＯＯＫ型の信号は、空走（ｆｒｅｅ  ｒｕｎｎｉｎｇ）発振サブシステムとミキサーサブシステムとの組み合わせを利用することなく発生され得る。
【００２３】
図６に示される送信器の実施形態は、例えば、一般に認められる、同時係属中の米国出願第０９／８４７，７７７号、または米国出願第０９／９７０，３８５号に開示されるような、ＵＷＢ受信器と共に利用され、１組の送受信器を形成し得る。図６に示されるＵＷＢ送信器と互換性があるように、包括検出器は、米国出願第０９／８４７，７７７号の図１に示される波形器回路として利用される。
【００２４】
図７は、本発明に従って適応された振幅シフトキーイング（ＡＳＫ）送受信器のブロック図を示す。送信器側では、デジタルソース７０６は、デジタルシリアルデータ７０１を生成する。デジタルシリアルデータ７０１は、送信されるべきデジタル情報を構成する。デジタルシリアルデータは、ＯＯＫ変調器７０２への入力に供給される。変調された信号は、受信器側に向かって、アンテナ７０４ａを介してエアーチャネルへ送信される。任意に、増幅器（図示せず）は、ＯＯＫ変調器７０２とアンテナ７０４ａとの間挿入され、送信前に変調された信号を増幅し得る。
【００２５】
受信側では、エアーからの変調された信号７０５は、ノイズと他の鑑賞信号との組み合わせと共に、アンテナ７０４ｂを介して受信される。受信された信号は、包括検出器７２２に入力される前に、任意の増幅器（図示せず）を介して増幅される。包括検出器７２２は、変調された信号７０５からキャリアを移動し、アナログ波形７１５を生成する。アナログ信号は、送信媒体のノイズおよび他の干渉効果のため、歪みを有するが、オリジナルのデジタルシリアルデータ７０１に類似する。
【００２６】
故に、波形７１５は、Ｎ形状Ｉ−Ｖ転移特性を有するパルス生成器７２４に供給される。例えば、そのような回路は、米国出願第６，２５９，３９０号に記載される。パルス生成器７２４の出力は、アナログ波形７１５と相関があるスパイクのグループ７１３を含む信号である。これらのスパイクのグループは、カウンタまたは他の決定デバイス７２６によって検出され、デジタル情報７１１を再生成する。デジタル情報７１１は、完全な送信が成功するとき、デジタルシリアルデータ７０１と同一になる。決定デバイス７２６に用いられるアルゴリズムの例は、米国出願第０９／８０５，８５４号により完全に記載される。
【００２７】
代替的に、デジタル情報７１１は、例えば比較器を用いることによって、波形７１５上でハード決定分析を実行することによって正常な状態に戻される。このアプローチは、パルス生成器７２４および決定デバイス７２６を取り除くが、システムパフォーマンス、およびシステムロバストなどといった理由のため、全てのアプリケーションンに対して適切ではない。
【００２８】
図８は、本発明と一致して適合される別の転送システムの高レベルブロック図を示す。無線周波数識別（ＲＦＩＤ）システムが示される。ＲＦＩＤは、電子デバイスタグであるパッシブタグの使用を利用する。パッシブタグは、動作させるためのバッテリまたは同様の電源を必要としない。代わりに、ＲＦＩＤタグは、タグに送信された受信された信号からその電力を伝送する。
【００２９】
このシステムにおいて、リーダ８０１０（呼び掛け装置として言及される）は、周波数ＦＴでアンテナ８０２０を介して呼び掛け信号を送信し、その範囲内であるタグＩＤを識別する。各タグ（タグ１〜タグＮ）は、呼び掛け信号を受信し、次の様態でそれを処理する。タグは、そのアンテナ８０３０を介してこの信号を受信する。この信号は、修正（ｒｅｃｔｅｎｎａ；アンテナを修正する）回路８０４０によってＤＣ電力を生成するように変換される。ＤＣ電力は、電力を、マイクロコントローラ８０５０およびＯＯＫ変調器に提供し得る。マイクロコントローラ８０５０は、第１および第２の情報領域を含むデジタルビットストリームを生成する。第１および第２の情報領域は、ＯＯＫ変調器８０６０に入力され、ＯＯＫ変調された信号を生成する。各タグに対するＯＯＫ変調器８０６０は、異なる周波数で発振し得る。例えば、各タグにおけるインダクタ４０２（図４参照）の異なる値を設定することによってこれが達成され得る。このような場合において、各タグに対してＯＯＫ変調された信号は、異なる中心周波数を有する。タグ１は中心周波数Ｆ１（例えば）を利用し、タグＮは中心周波数ＦＮを利用する。各タグの異なる周波数を利用する利点は、エアー中において情報の衝突がないことである。
【００３０】
ＯＯＫ変調器８０６０から送信された変調された信号は、アンテナ８０７０を介して送信され得る。本発明の実施形態において、アンテナ８０７０および８０３０は、信号二重バンドアンテナに組み合わされ得る。リーダ８０１０は、そのアンテナ８０２０を介して、タグから送信された信号を受信することが可能である。アンテナ８０２０は、信号Ｆ１〜ＦＮを受信するようにほぼ構成される。リーダ８０１０は、信号Ｆ１＋．．．＋ＦＮを後処理して、タグがあること、かつ情報が各タグに含まれることを識別し得る。故に、例えば、Ｆ３が識別される場合、次にタグ３は存在する必要があり、かつ、中心周波数Ｆ３に伝送される情報はタグ３に含まれる情報に一致する。
【００３１】
ＲＦＩＤシステムのより簡単なバージョンは、各タグにおいてマイクロコントローラ８０５０を移動することによって発展され得る。このバージョンにおいて、修正器（ｒｅｃｔｅｎｎａ）８０４０は、ＯＯＫ変調器８０６０に接続される。この代替の接続は、点線８０５０’によって図形に示される。信号ＦＴが受信されると、修正器８０４０は、信号を変換してＤＣを生成し、従って、ＯＯＫ変調器８０６０に電圧を加える。この構成におけるＯＯＫ変調器８０６０の動作点３０３（図３）は、不安定領域３０７にあるように固定される。故に、変調器は、その発振周波数で単に発振し、そのアンテナ８０７０を介して送信する。リーダは、タグがエアーにある発振周波数を識別することによって存在することを識別することができる。このＲＦＩＤタグの変動は、単純な識別が必要とされるときのみ、アプリケーションにおいて適切であり得る。
【図面の簡単な説明】
【００３２】
【図１】図１は、本発明によるＯＯＫ変調器を示すハイレベルアーキテクチャ図である。
【図２】図２は、本発明によるＯＯＫ変調器に用いられる非線形回路を示す。
【図３】図３は、図２に示される非線形回路の伝達関数の交互の安定および不安定動作領域を示す。
【図４】図４は、本発明による非線形回路の例示的な実施形態を示す。
【図５】図５は、本発明によって生成された信号の信号トレースである。
【図６】図６は、本発明により適応した通常の通信システムコンポーネントを示す。
【図７】図７は、本発明により適応した別の通信システムコンポーネントを示す。
【図８】図８は、本発明により適応した無線周波数同定（ＲＦＩＤ）技術のブロック図を示す。
【図９】図９は、従来技術の信号生成システムを示す。
【図１】
2005512443.tif 000003
【図２】
2005512443.tif 000004
【図３】
2005512443.tif 000005
【図４】
2005512443.tif 000006
【図５】
2005512443.tif 000007
【図６】
2005512443.tif 000008
【図７】
2005512443.tif 000009
【図８】
2005512443.tif 000010
【図９】
2005512443.tif 000011
【国際調査報告】
2005512443.tif 000012
2005512443.tif 000013
2005512443.tif 000014